(57)【特許請求の範囲】
【請求項１】
光透過性樹脂部材上に形成された商品を識別可能にするマークがグレーティング加工された第１のホログラムと、前記第１のホログラム近傍に形成されたコンピュータにより製作された前記商品のデータを表す第２のホログラムとを有し、かつ、前記第１及び第２のホログラム上に反射膜を形成し、前記第２のホログラムは任意の位置の反射膜を破壊して、その位置のホログラムパターンを読み取り不能に消去することによってデータが記録された光記録媒体を、前記反射膜側が前記商品に対向配置されるように前記商品の埋め込み部に埋め込み、前記光透過性樹脂部材側から再生装置の照明光を入射して、前記反射膜が破壊された位置の前記ホログラムパターンが消去された前記第２ホログラムからの回折光を読み取ることによって前記商品の真贋を判定する商品の真贋判定方法において、
前記商品の前記埋め込み部表面に、入射された前記照明光を拡散させて前記回折光の０次光の反射光を低減するための梨地加工が施されていることを特徴とする商品の真贋判定方法。
【発明の詳細な説明】
【０００１】
【発明の属する技術分野】
本発明は、ホログラムにより化粧品、バッグ、衣服、その他高級ブランド品の真贋を判定して偽造を防止するための商品の真贋判定方法に関する。
【０００２】
【従来の技術】
化粧品、バッグ、衣服、その他高級ブランド品の偽造を防止する従来の方法としては、ブランドマークなどの商標を表すマークをラベル、タグ、プレートなどに印刷してこの印刷物を製品の一部に取り付け、これにより製品の真贋を判定する方法が一般的である。また、他の方法として、例えばクレジットカードなどでは、カード状基板上に商標などのマークをグレーティング加工のホログラムで形成したり、レリーフ状の凹凸で形成したものが知られている。
【０００３】
【発明が解決しようとする課題】
しかしながら、ブランドマークなどの商標を表すマークをラベル、タグ、プレートなどに印刷した印刷物は偽造しやすく、偽造防止の効果が小さいという問題点がある。なお、商品のブランドマークと別の位置に、シリアルナンバー、バーコードなどを刻印、印刷などにより取り付け、これを真贋判定に利用する方法も知られているが、これも偽造者により破壊されたり、取り除かれてしまい、真贋判定として機能しない場合があった。
【０００４】
また、グレーティング加工のホログラムやレリーフ状の凹凸は構造が簡単であるので、偽造されやすいという問題点がある。さらに、この方法では、商品のシリアルナンバーなどを表すことができない。
【０００５】
本発明は上記従来例の問題点に鑑み、偽造が困難なホログラムにより商品の真贋を判定することができ、ひいては偽造を防止することができる商品の真贋判定方法を提供することを目的とする。
【０００６】
【課題を解決するための手段】
本発明は上記目的を達成するために、光記録媒体が埋め込まれる商品の表面を梨地加工して入射光を拡散させることにより、ホログラム再生時の０次光の反射を低減するようにしたものである。
【０００７】
すなわち本発明によれば、光透過性樹脂部材上に形成された商品を識別可能にするマークがグレーティング加工された第１のホログラムと、前記第１のホログラム近傍に形成されたコンピュータにより製作された前記商品のデータを表す第２のホログラムとを有し、かつ、前記第１及び第２のホログラム上に反射膜を形成し、前記第２のホログラムは任意の位置の反射膜を破壊して、その位置のホログラムパターンを読み取り不能に消去することによってデータが記録された光記録媒体を、前記反射膜側が前記商品に対向配置されるように前記商品の埋め込み部に埋め込み、前記光透過性樹脂部材側から再生装置の照明光を入射して、前記反射膜が破壊された位置の前記ホログラムパターンが消去された前記第２ホログラムからの回折光を読み取ることによって前記商品の真贋を判定する商品の真贋判定方法において、
前記商品の前記埋め込み部表面に、入射された前記照明光を拡散させて前記回折光の０次光の反射光を低減するための梨地加工が施されていることを特徴とする商品の真贋判定方法が提供される。
【０００９】
【発明の実施の形態】
＜第１の実施形態＞
以下、図面を参照して本発明の実施の形態を説明する。図１は本発明に係る光記録媒体及び商品の真贋判定方法の第１の実施形態を示す説明図、図２は図１の光記録媒体の構造を詳しく示す説明図、図３はレインボーホログラムの特性を示す説明図、図４は図１のデータＣＧＨの一例を示す説明図、図５は図４のデータＣＧＨ再生装置の構成を示すブロック図である。
【００１０】
図１は光記録媒体１と、光記録媒体１を埋め込んだ商品の一例として化粧品のボトル２を示している。本例の光記録媒体１は直径４ｍｍの円形プレートで構成され、その表面が３×３の領域に分割されている。そして、５つの領域には商標を表すマークなど商品を識別可能にするマーク（以下簡単に、マークという）３（図のＡＢＣ Inc）（図中「登録商標」と示されるものもある）が形成され、残りの４つの領域には適用される商品に応じた任意のデータを表すデータＣＧＨ(Computer generated hologram)４が形成されている。
【００１１】
なお、光記録媒体１の大きさは、埋め込む商品の形状に対応して商品が大きければより大きくデザインすれば良い。そして、光記録媒体１はボトル２の表面に形成された光記録媒体１と同程度の大きさの窪みに、接着剤、もしくは両面テープなどを使用して固定される。
【００１２】
図２は光記録媒体１の構造を詳しく示している。この例のデータＣＧＨ４は反射位相型であり、再生光に対応した位相分布が記録されている。図２（４）は光記録媒体１の特にデータＣＧＨ４の部分の側面構造を示す。この例では２値型のＣＧＨであり、照明光の波長に基づく光学的深さ＝０、πに対応した凹凸が基板としての光透過性樹脂部材１１（アクリル、ポリカーボネートなど）に成型され、その上に金属反射膜１２（アルミ、金など）、更にその上に保護膜１３（ＵＶ硬化樹脂など）がコーティングされている。光透過性樹脂部材１１は射出成型によって量産することができる。
【００１３】
ここで、データＣＧＨ４とは例えばＯ plus Ｅ、９６．１２月号、Ｐ８３−８８「計算機ホログラムの最適化方法」に記載されている位相型ホログラムである。具体的には所望の回折角に対応する回折光位置情報を、計算機を用いてフーリエ逆変換することにより、回折格子の干渉縞に対応する位相分布を求めることができる。そして、この位相分布に対応するブレーズ（階段状段差）を、例えば特開平９−２３０１２１号公報に示されるように半導体製造技術を応用してガラス基板上に作成し、このガラス基板上のブレーズを他の基板としての光透過性樹脂部材１１に転写する。また、２値型のＣＧＨとは、図２（２）に拡大して示すように入射光の波長λの１周期（２π）を２分割して１値分の位相差を２π／２とし、階段状の段差が０π（位相変化が行われない部分）を含めて２段で構成されたＣＧＨのことである。したがって、ｎ値型のＣＧＨとは、入射光の波長λの
１周期（２π）をｎ分割して１値分の位相差を２π／ｎとし、階段状の段差が０π（位相変化が行われない部分）を含めてｎ段で構成されたＣＧＨのことである。
【００１４】
マーク３を表す文字、図形などのマークは、図２（３）に拡大して示すようにグレーティングで埋め尽くされており、本例では１μｍ線幅のラインが２μｍピッチでグレーティングを構成している。グレーティングの深さはデータＣＧＨ４と同様に、光学的深さ＝０、πに対応している。なお、グレーティングパターンは、自然光下で虹色に見えるので、レインボーホログラムとも呼ばれている。
【００１５】
図３を参照してレインボーホログラム（グレーティング）の特性について説明する。図３（１）は回折次数と強度の関係を示し、回折光の強度は１次が最も強く、３次、５次〜の順番で弱くなる。図３中の式（１）から観察角度と色合いの関係を計算することができ、強度が比較的強い１次、３次の回折光について計算すると、図３（２）に示すようになる。その結果から、図３（３）に示すようにレインボーホログラムを白色光で観察した場合、角度を変えて観察すると色合いが変化して見えることが分かる。
【００１６】
図４はデータＣＧＨ４の一例を示し、データＣＧＨ４として記録される情報は、マーク３と同じデザイン（マーク）であり、したがって、データＣＧＨ４に対してデータＣＧＨ再生装置１００により照明光を当てると、マークと同じ再生像を再生する。したがって、この場合には、データＣＧＨ４とマーク３の各再生像を比較して同じと認識した場合、この光記録媒体１及び、これが埋め込まれた商品（ボトル）２を本物と判断することができる。
【００１７】
図５は図４に示したデータＣＧＨ再生装置１００を概略的に示している。図５において、データＣＧＨ４（及びマーク３）が照明装置１０１の可干渉性の光により照明されると、照明光がデータＣＧＨ４において反射しながら干渉し、回折光が受光装置１０２により受光される。受光装置１０２はＣＣＤ、ＰＤなどの２次元撮像素子であり、したがって、２次元の回折光の位置と強度を測定することができる。受光装置１０２から出力される回折光強度分布信号は、０次光処理装置１０３により０次光の光強度が「０」に置き換えられて、０次光を除いた全体の回折光強度が所定のゲインで増幅され、回折光認識装置１０４に送られる。回折光認識装置１０４は基準データとしてあらかじめ登録された複数の回折光強度分布データと、０次光処理装置１０３から送られたデータを比較することにより、光記録媒体１（ひいては商品２）の真贋を判定する。
【００１８】
図６はデータＣＧＨ４の他の例を示し、データＣＧＨ４として記録される情報は、マーク３と異なるマーク（４つの花弁）である。この場合には、このデータＣＧＨ４に照明光を当てると、設計した任意の再生像を再生するので、再生像と設計値を比較して同じと認識した場合、この光記録媒体１及び、これが埋め込まれた商品２を本物と判断する。データＣＧＨ４に記録する情報は、本例の画像情報に限定されず、数字、記号、コード化されたシリアルナンバーなど、任意の形態で良い。
【００１９】
図７は光記録媒体１の外観及びホログラム配列を変形した例を示す。図７（１）に示す変形例では、円形の光記録媒体１の中央に１つのマーク３が大きく形成され、その回りに複数のデータＣＧＨ４が形成されている。光記録媒体１の外観形状は円形に特定されず、埋め込む商品に対応して円形のほか矩形、多角形でも良い。データＣＧＨ４とマーク３の配列は限定されず、混在した状態で自由で良い。図７（２）に示す変形例では、矩形の光記録媒体１上に５個のデータＣＧＨ４が十字状に配列され、４個のマーク３が残りの各コーナ部に配列されている。また、図７（３）に示す変形例では、三角形の中央に１つのマーク３が大きく形成され、３個のマーク３が各コーナ部に配列されている。
【００２０】
＜第２の実施形態＞
図８は第２の実施形態の光記録媒体を示している。第１の実施形態と同様に、光記録媒体１の表面が３×３の領域に分割され、５つの領域にマーク３（図のＡＢＣ Inc）が形成されている。そして、第２の実施形態では、データＣＧＨ４により多くのデータを表すことができるように、残りの４つの領域にデータＣＧＨユニットが形成され、１つのＣＧＨユニットは２×２＝４個のデータＣＧＨ４（合計１６個）で構成されている。
【００２１】
次にデータＣＧＨ４によりデータを表す方法について説明する。このデータＣＧＨ４は光透過性樹脂部材１１上に複数のホログラムパターンを形成してその上に反射膜１２を形成し、任意の位置の反射膜１２を破壊してその位置のホログラムパターンを読み取り不能に消去することにより複数ビットのデータを表すように構成されている。図９は説明を簡単にするために、３つのホログラムパターン（図の凹凸）により３ビットデータを表すことを示している。図９（１）は３つのホログラムパターンが全て形成されており、この場合には、入射光が光透過性樹脂部材１１を透過して反射膜１２で反射し、このとき、光透過性樹脂部材１１に設けられた３つの全ての凹凸が反射光に位相差を生じさせ、回折光が発生するので、３ビットデータ＝１１１を表す。
【００２２】
図９（２）は一例として、３ビットデータの第２ビットに対応する金属反射膜１２をレーザ光により消去することにより第２ビットを読み取り不能にして３ビットデータ＝１０１を表すことを示している。レーザはＹＡＧ レーザ、ＣＯ2レーザなど精密加工用に適するものを使用し、レーザ光を照射するとレーザ光が光透過性樹脂部材１１を透過して金属反射膜１２のみが昇華する。そのため、レーザ照射した場所では金属反射膜１２が存在しないので、入射光を返すことができず、光の回折現象が起こらずＣＧＨの再生光は生じない。したがって、レーザ照射した場所を読み取り不能にして１ビットデータ＝０を表すことができる。
【００２３】
ところで、図９（３）に示すようにこの光記録媒体１の保護膜１３側を商品２の表面に対向させて埋め込んで組み込む際に、商品２の材料が反射率の高い金属、あるいは反射率の高い物質がコーティングされたものである場合には、反射膜１２が消去された場所から保護膜１３を透過した入射光が商品２の面で反射して戻り、再生光に混入して再生画像を乱す場合がある。そこで、図９（１）の代わりに図９（１）’に示すように光記録媒体１の保護膜１３上にさらに反射防止膜１４を形成し、これにより入射光を吸収して反射を押さえる。反射防止膜１４はＣｒxＯy（酸化クロム）、ＴｉxＮy（窒化チタン）などの酸化膜を、スパッタリング装置によって形成する。他の方法として、埋め込み商品２側の表面を図９（３）の代わりに図９（３）’に示すようにサンド・ブラストなどの機械加工によって梨地に加工（図の１５）することにより、この面により入射光を拡散して反射光として戻らないようにしてもよい。
【００２４】
図１０、図１１は１つのデータＣＧＨ４により４ビットデータを表すために１つのデータＣＧＨ４が４つの花弁により構成されている場合を示している。また、１つのデータＣＧＨユニットが４つのデータＣＧＨ４により構成され、１つの光記録媒体１当たり合計４×４個のデータＣＧＨ４により構成される、さらに、３つの光記録媒体１を１つの商品２に埋め込むと、その商品２を４×４×３＝４８ビットのデータにより表現することができる。したがって、大きなデータ量の記録が可能になり、また、記録データとしては、シリアル番号、製品固有の情報などを記録することができる。なお、この場合の再生は、二次元撮像素子によりデータＣＧＨユニット毎に行うことができる。
【００２５】
図１２、図１３は商品の一例として、噴霧式化粧品ボトル２に取り付けられている噴霧器２ａに光記録媒体１（ＣＧＨペレット１）を埋め込む場合の取り付け方法を示している。ＣＧＨペレットの製造方法としては、１枚の基板上に多数のＣＧＨペレット１を形成し、次いでこの基板をＣＧＨペレット１毎に切断する「成型板打ち抜き方式」と、多数のＣＧＨペレット１をプラモデルの部品のように成型した後、分離する「たこやき成型方式」がある。こうしてできたＣＧＨペレット１を、各ＣＧＨペレット１の反射膜１２側を接着層１６を介して樹脂又は金属性の噴霧器リング２ｂの側面に埋め込む。次いでこの噴霧器リング２ｂにより噴霧器２ａを組み立て、この噴霧器２ａをボトル２の開口に取り付ける。
【００２６】
なお、本発明によれば、特許請求の範囲に記載された発明の他に次のような発明は提供される。
（１）基板上に商品を識別可能にするマークをグレーティング加工の第１のホログラム又はレリーフ状の凹凸で形成するとともに、前記マークの周辺に同じマークを表す第２のホログラムをコンピュータにより作成して形成し、この基板を商品に埋め込むようにした光記録媒体。
（２）本明細書に記載されている光記録媒体を商品の表面に埋め込む方法であって、
前記光記録媒体が埋め込まれる商品の表面を梨地加工して入射光を拡散させることにより、ホログラム再生時の０次光の反射を低減することを特徴とする光記録媒体を商品の表面に埋め込む方法。
【００２７】
【発明の効果】
以上説明したように本発明によれば、商品のデータを表すホログラムをコンピュータにより作成して商品を識別可能にするマークの周辺に形成し、この基板を商品に埋め込むようにしたので、偽造が困難なホログラムにより商品の真贋を判定することができ、ひいては偽造を防止することができる。
【図面の簡単な説明】
【図１】本発明に係る光記録媒体及び商品の真贋判定方法の第１の実施形態を示す説明図である。
【図２】図１の光記録媒体の構造を詳しく示す説明図である。
【図３】レインボーホログラムの特性を示す説明図である。
【図４】図１のデータＣＧＨの一例を示す説明図である。
【図５】図４のデータＣＧＨ再生装置の構成を示すブロック図である。
【図６】図４のデータＣＧＨの他の例を示す説明図である。
【図７】光記録媒体の外観及びホログラム配列の変形例を示す説明図である。
【図８】第２の実施形態の光記録媒体を示す説明図である。
【図９】図８のデータＣＧＨの構造を詳しく示す説明図である。
【図１０】図８のデータＣＧＨの一例を示す説明図である。
【図１１】図１０のデータＣＧＨによるデータの内容を示す説明図である。
【図１２】光記録媒体の商品への取り付け例を示す説明図である。
【図１３】光記録媒体の商品への取り付け例を示す説明図である。
【符号の説明】
１  光記録媒体（ＣＧＨペレット）
２  商品（ボトル）
３  登録商標（マーク）
４  データＣＧＨ
【図１】
0003711806.tif 000002
【図２】
0003711806.tif 000003
【図３】
0003711806.tif 000004
【図４】
0003711806.tif 000005
【図５】
0003711806.tif 000006
【図６】
0003711806.tif 000007
【図７】
0003711806.tif 000008
【図８】
0003711806.tif 000009
【図９】
0003711806.tif 000010
【図１０】
0003711806.tif 000011
【図１１】
0003711806.tif 000012
【図１２】
0003711806.tif 000013
【図１３】
0003711806.tif 000014